(57)【特許請求の範囲】
【請求項１】
コージェネレーションシステム（１０）と、吸収冷温水機（１２）と、圧縮式冷凍機（１４）とからなる複合冷暖房装置において、該圧縮冷凍機（１４）はコージェネレーションシステム（１０）の発電手段（１９）又は商用電源（ＬＧ）に接続され、第１のコンプレッサ（７０）および第２のコンプレッサ（７４）と、冷房時には凝縮器として作用し且つ暖房時には蒸発器として機能する第１の熱交換器（６２）と、熱的負荷として作用する第２の熱交換器（６０）とを備え、前記第２の熱交換器（６０）は分岐（６４）と第１のコンプレッサ（７０）の流入方向を切換える切換弁（６８）とを介して第１のコンプレッサ（７０）に接続するライン（Ｌ６０）を有し、そして前記第１のコンプレッサ（７０）は前記切換弁（６８）を介して第１の熱交換器（６２）に接続され、前記第１および第２の熱交換器（６２、６０）は互いに膨張弁（７８）および別の分岐（６６）を介して接続され、前記分岐（６４）からの分岐ライン（Ｌ６２）は第２のコンプレッサ（７４）の流入方向を切換える別の切換弁（７２）と第２のコンプレッサ（７４）と吸収冷温水機（１２）の蒸発器（２２）とを介して前記別の分岐に接続されていることを特徴とする複合冷暖房装置。
【請求項２】
前記分岐ライン（Ｌ６２）には別の切換弁（７２）および第２のコンプレッサ（７４）をバイパスするバイパスライン（Ｌ７０）が設けられている請求項１記載の複合冷暖房装置。
【請求項３】
前記ライン（Ｌ６０）には切換弁（６８）および第１のコンプレッサ（７０）をバイパスするバイパスライン（Ｌ７２）が設けられている請求項１記載の複合冷暖房装置。
【発明の詳細な説明】
【０００１】
【発明の属する技術分野】
本発明は、圧縮式冷凍機と蓄熱槽とを組み合わせた冷凍装置の改善と、圧縮式冷凍機と吸収冷温水機とを組み合わせた複合冷暖房装置の改善、とに関するものである。
本明細書において、「圧縮式冷凍機」という文言や、「電動冷凍機」という文言は、暖房用のヒートポンプモードへの切換が可能な冷暖兼用ヒートポンプを含む意味で、使用されている。
【０００２】
【従来の技術】
この様な冷凍装置の従来例が、図３３に示されている。
【０００３】
図３３において、蓄熱槽１は所謂「水蓄熱」に係る蓄熱槽であり、圧縮式冷凍機（電動冷凍機）３で生成された冷熱は、冷水ラインＬＰ３を流れる冷水として蓄熱槽１に供給される。
【０００４】
蓄熱槽１に供給され蓄熱された冷熱は、負荷側ラインＬＰ４、熱交換器４を介して熱的負荷（冷熱負荷）Ｌに供給される。
【０００５】
図３３で示すシステムでは、冷熱負荷が比較的少ない時間帯でも冷凍機３を稼働して、生成した冷熱を蓄熱槽１内に蓄熱する。そして、冷熱負荷がピークになる時間帯等で、冷凍機１による冷熱生成量が負荷に追いつかない場合には、蓄熱槽１に蓄熱された冷熱を負荷Ｌ側に供給している。
【０００６】
それによって、時間帯により要求される冷熱負荷が不均一であることを緩衝し、或いは、各種時間帯における冷熱負荷の不均一に対処して、冷凍機１の小型化を可能としている。
【０００７】
しかし、図３３で示す様な従来技術で、全ての冷熱負荷を賄うのであれば、冷凍機３か蓄熱槽１のいずれかを大きくしなければならず、コンパクト化の要請に反することとなる。
【０００８】
また、冷熱負荷Ｌと、冷凍機３の冷熱生成量と、蓄熱槽１の蓄熱量とのバランスによっては、電動冷凍機３を定格運転ではなく、一部負荷状態で運転しなければならず、電動冷凍機３の運転効率が非効率となってしまう。
【０００９】
その他の従来技術としては、図３４で示す様に、冷暖房運転の切換可能な圧縮式冷凍機がある。
図３４の冷暖房切換可能な圧縮式冷凍機は、熱的な負荷として機能する室内熱交換器６０と、冷房時は凝縮器として機能し、暖房時は蒸発器として機能する室外熱交換器６２と、冷暖房時で冷媒が移動する経路を切り換えることが出来る様に構成されている切換弁５４と、冷媒を圧縮して押圧する圧縮機（コンプレッサ）５６と、膨張弁５８と、これ等の各部材を連通するラインＬ６０とから構成されている。
しかし、図３４で示す従来技術では、上述した問題点の解決手段とは成り得ない。
【００１０】
さらに、図３５で示す様に、蓄熱槽４８を設け、切換弁５４の切換と、開閉弁４２、４４、４６を開閉することにより、冷房運転、暖房運転、冷熱蓄熱運転、温熱蓄熱運転、蓄熱利用冷房運転、蓄熱利用暖房運転と、運転モードを変更出来るようにした複合冷暖房システム（所謂「過冷却蓄熱方式」）が提案されている。
【００１１】
或いは、図３６で示す様に、蓄熱槽４８を設けると共に、コンプレッサ４５と、ポンプとして作用する低揚程のコンプレッサ４７とを並列に配置して、切換弁５４の切換と、開閉弁４１、４３、４９、５３の開閉により、冷房運転、暖房運転、冷熱蓄熱運転、温熱蓄熱運転、蓄熱利用冷房運転、蓄熱利用暖房運転、除霜（デフロスト）運転と、運転モードを変更出来るようにした複合冷暖房システム（所謂「冷媒凝縮蓄熱方式」）が提案されている。
【００１２】
しかしながら、これ等の従来技術は、上述した各種問題点を解決するものではなかった。
【００１３】
【発明が解決しようとする課題】
本発明は上述した従来技術の問題点に鑑みて提案されたものであり、冷凍機や蓄熱槽を大きくすること無く、各種時間帯における冷熱負荷の不均一に対処することが出来て、冷熱負荷のピーク時においても必要な冷熱を供給し、しかも省エネルギの要請に応えることが出来る複合冷暖房装置の提供を目的としている。
【００１４】
【課題を解決するための手段】
本発明によれば、  コージェネレーションシステム１０と、吸収冷温水機１２と、圧縮式冷凍機１４とからなる複合冷暖房装置において、該圧縮冷凍機１４はコージェネレーションシステム１０の発電手段１９又は商用電源ＬＧに接続され、第１のコンプレッサ７０および第２のコンプレッサ７４と、冷房時には凝縮器として作用し且つ暖房時には蒸発器として機能する第１の熱交換器６２と、熱的負荷として作用する第２の熱交換器６０とを備え、前記第２の熱交換器６０は分岐６４と第１のコンプレッサ７０の流入方向を切換える切換弁６８とを介して第１のコンプレッサ７０に接続するラインＬ６０を有し、そして前記第１のコンプレッサ７０は前記切換弁６８を介して第１の熱交換器６２に接続され、前記第１および第２の熱交換器６２、６０は互いに膨張弁７８および別の分岐６６を介して接続され、前記分岐６４からの分岐ラインＬ６２は第２のコンプレッサ７４の流入方向を切換える別の切換弁７２と第２のコンプレッサ７４と吸収冷温水機１２の蒸発器２２とを介して前記別の分岐に接続されている。
【００１５】
また本発明によれば、前記分岐ラインＬ６２には別の切換弁７２および第２のコンプレッサ７４をバイパスするバイパスラインＬ７０が設けられている。
【００１６】
さらに本発明によれば、前記ラインＬ６０には切換弁６８および第１のコンプレッサ７０をバイパスするバイパスラインＬ７２が設けられている。
【００２５】
この様に構成することにより、流路切換弁（６８、７２）を切り換えることにより、圧縮式冷凍機と吸収冷温水機とを組み合わせた複合冷暖房装置における冷房運転と暖房運転との切換を、容易且つ確実に実行出来るのである。
【００３４】
【発明の実施の形態】
以下、図面を参照して本発明の実施形態を説明する。なお、図１−図４において、同様の構成部品には同様な符号を付し、重複説明を省略している。
【００３５】
図１は本発明の第１実施形態を示している。
図１で示すシステムは、コージェネレーションシステム（ＣＧＳ）１０と、排熱焚吸収冷温水機１２と、複数基（図１では２基）の電動冷凍機１４Ａ、１４Ｂと、水蓄熱槽１６と、これ等の部材を連通する各種ラインとを備えて構成されている。
ここで、図１中の符号Ｌは、熱的負荷を示している。
また、符号Ｆは吸収冷温水機１０の高温再生器（図示せず）加熱源用の燃料である都市ガスを示している。
【００３６】
ＣＧＳ１０の温排熱は、温熱媒体用ラインＬ１及び再生器１８（排熱焚再生器）を介して、排熱焚吸収冷温水機１２に投入される。また、ＣＧＳ１０の発電手段１９で発生した電力は、電力供給ラインＬ２Ａ、Ｌ２Ｂを介して、電動冷凍機１４Ａのコンプレッサ２０Ａか、或いは、電動冷凍機１４Ｂのコンプレッサ２０Ｂを駆動する。
ＣＧＳ１０の発電量が電動冷凍機１４Ａ、１４Ｂのコンプレッサ２０Ａ、２０Ｂの駆動に不足している場合には、ラインＬ２Ｃを介して商用電源ＣＧから電力が供給される。一方、電力が過剰な場合は、当該過剰電力は、電力ラインＬ３を介して図示しない電力負荷へ供給される。
【００３７】
排熱焚吸収冷温水機１２の蒸発器２２は、冷水（出）ラインＬ４−Ｏ及び冷水（入）ラインＬ４−Ｉと一体に図示されている。同様に、電動冷凍機１４Ａの蒸発器２４Ａは、冷水（出）ラインＬ５Ａ−Ｏ、冷水（入）ラインＬ５Ａ−Ｉと一体に図示されており、電動冷凍機１４Ｂの蒸発器２４Ｂは、冷水（出）ラインＬ５Ｂ−Ｏ、冷水（入）ラインＬ５Ｂ−Ｉと一体に図示されている。
【００３８】
冷水（出）ラインＬ４−Ｏ、Ｌ５Ａ−Ｏ、Ｌ５Ｂ−ＯはラインＬ６に合流しており、ラインＬ７を介して水蓄熱槽１６に連通する。
水蓄熱槽１６にはラインＬ８も連通しており、ラインＬ８に連通するラインＬ９からは、冷水（入）ラインＬ４−Ｉ、Ｌ５Ａ−Ｉ、Ｌ５Ｂ−Ｉが分岐している。
【００３９】
例えば夜間の様に、熱的負荷が殆どゼロと見なせるか或いは小さい場合であって、ＣＧＳ１０は連続運転が為されている場合には、温熱媒体用ラインＬ１を介してＣＧＳ１０の温排熱が再生器１８を介して排熱焚吸収冷温水機１２に投入される。その結果、冷水ラインＬ４−Ｉ、Ｌ４−Ｏを流れる冷水が蒸発器２２により冷却される。
冷却された冷水は、ラインＬ４−Ｏ、Ｌ６、Ｌ７を介して水蓄熱槽１６に供給されて、当該蓄熱槽１６内に冷熱を蓄熱する。蓄熱槽１６に冷熱を蓄熱した後、冷水はラインＬ８、Ｌ９を介して冷水（入）ラインＬ４−Ｉに戻る。
【００４０】
すなわち、この場合には、ＣＧＳ１０及び吸収冷温水機１２のみが稼動して、蓄熱槽１６に冷熱を蓄熱している（蓄熱無負荷或いは蓄熱一部負荷）。電動冷凍機１４Ａ、１４Ｂは稼動していない。
【００４１】
熱的負荷Ｌが比較的小さい場合には、蓄熱槽１６内に蓄熱された冷熱を供給することにより、当該負荷Ｌに対応する。
ここで、ＣＧＳ１０の発電手段１９で発生した電気は、例えばラインＬ３を経由してその他の電力負荷へ供給される。
【００４２】
熱的負荷Ｌが上述した場合よりも大きくなって、水蓄熱槽１６に蓄熱されている冷熱及び吸収冷温水機１２で発生する冷熱では不足する場合は、電動冷凍機１４Ａ、１４Ｂのいずれか一方或いは双方を稼動する事により、これに対処する。
この場合、電動冷凍機１４Ａ及び／又は電動冷凍機１４Ｂの駆動電力としては、ＣＧＳ１０の発電手段１９から電力ラインＬ２Ａ及び／又はＬ２Ｂを介して供給される電力か、或いは、商用電源ＣＧから供給される電力の何れか或いは双方を用いる。
【００４３】
この場合には、蒸発器２４Ａ及び／又は２４Ｂで冷却されて、冷水ラインＬ５Ａ−Ｏ、Ｌ５Ａ−Ｉ及び／又は冷水ラインＬ５Ｂ−Ｏ、Ｌ５Ｂ−Ｉを介して、ラインＬ６、Ｌ７を経由して、冷熱が蓄熱槽１６へ供給される。従って負荷Ｌは、蓄熱槽１６からより多くの冷熱を投入されることとなる。
【００４４】
負荷要求のピーク時等の様に、冷熱負荷Ｌがさらに大きくなると、電動冷凍機１４Ａ及び／又は電動冷凍機１４Ｂもフル稼動して、図１のシステムで投入出来る最大限度の冷熱が水蓄熱槽１６内へ投入される。
【００４５】
すなわち、排熱焚再生器１２、電動冷凍機１４Ａ、１４Ｂはフル稼動して、冷熱を水蓄熱槽１６に蓄熱し、それに際して、排熱焚吸収冷温水機１２の蒸発器２２により冷却された冷水は、冷水（出）ラインＬ４−Ｏを流れ、電動冷凍機１４Ａ、１４Ｂの蒸発器２４Ａ、２４Ｂで冷却された冷水は、それぞれ冷水（出）ラインＬ５Ａ−Ｏ、Ｌ５Ｂ−Ｏを流れ、ラインＬ４−Ｏ、Ｌ５Ａ−Ｏ、Ｌ５Ｂ−ＯはラインＬ６に合流し、ラインＬ７を介して水蓄熱槽１６に連通し、当該蓄熱槽１６に冷熱を蓄熱する。
【００４６】
水蓄熱槽１６に冷熱を蓄熱した後、冷水はラインＬ８、Ｌ９を流れ、冷水（入）ラインＬ４−Ｉを介して排熱焚吸収冷温水機１２に戻り、冷水（入）ラインＬ５Ａ−Ｉ、Ｌ５Ｂ−Ｉを介して電動冷凍機１４Ａ、１４Ｂにそれぞれ戻る。
【００４７】
ここで図示の実施形態によれば、熱的負荷Ｌが小さい或いは存在しない夜間等において、ＣＧＳ１０、吸収冷温水機１２の稼動により水蓄熱槽１６内には冷熱が蓄熱されているので、負荷のピーク時（夏季の午後２時前後）においては、蓄熱された冷熱を使用することにより、冷凍機１２、１４Ａ、１４Ｂの負荷を減じることが出来る。
特に電気冷凍機１４Ａ、１４Ｂの負荷を減少して消費電力を節減する事は、システム全体の効率を非常に向上する事が出来る。
【００４８】
或いは、負荷が大きくなる時間の初期の段階では電気冷凍機１４Ａ、１４Ｂを停止し、その間は蓄熱槽１６で蓄熱した冷熱により負荷Ｌを運転する。そして水蓄熱槽１６に蓄熱された冷熱を消費してから、電気冷凍機１４Ａ、１４Ｂを運転して（負荷Ｌ及び／又は水蓄熱槽１６へ）冷熱を供給する事も可能である。
この様な運転方式を採用すれば、電気冷凍機１４Ａ、１４Ｂの運転時間を短縮して、電力消費量を低減することが出来る。
【００４９】
図示の実施形態において、節約された電力は、例えばラインＬ３を介して電力負荷に供給され、或いは、売電される。
【００５０】
次に図２を参照して、本発明の第２実施形態を説明する。
図１の第１実施形態では、蓄熱槽１６は所謂「水蓄熱」となっているのに対して、図２では所謂「氷蓄熱」の蓄熱槽を用いている。
【００５１】
「氷蓄熱」による蓄熱槽３６を有する図２の実施形態では、排熱焚吸収冷温水機１２（図２の実施形態では、アンモニア／水系）の蒸発器２２と、電動冷凍機１４Ａ、１４Ｂの蒸発器２４Ａ、２４Ｂと、氷蓄熱槽３６とを連通する配管系には、所謂「ブライン」が流過している。そして、冷媒であるブラインは、熱交換器４０を介して冷水ラインＬ２０を流れる冷水に冷熱を供給する。そして、冷水ラインＬ２０は、図示しない冷熱負荷に連通している。
【００５２】
図２においても、アンモニア／水系の排熱焚吸収冷温水機１２の蒸発器２２は、冷水（出）ラインＬ１２−Ｏ及び冷水（入）ラインＬ１２−Ｉと一体に図示され、電動冷凍機１４Ａの蒸発器２４Ａは、冷水（出）ラインＬ１４Ａ−Ｏ、冷水（入）ラインＬ１４Ａ−Ｉと一体に図示され、電動冷凍機１４Ｂの蒸発器２４Ｂは、冷水（出）ラインＬ１４Ｂ−Ｏ、冷水（入）ラインＬ１４Ｂ−Ｉと一体に図示されている。
【００５３】
冷水（出）ラインＬ１４Ａ−Ｏ、Ｌ１４Ｂ−Ｏは合流点Ｇ１で合流して冷水  （入）ラインＬ１２−Ｉとなる。
冷水（出）ラインＬ１２−Ｏは、分岐点Ｂ２で氷蓄熱槽３６に連通するラインＬ７と、冷水ラインＬ２０と熱交換を行う熱交換器４０側のラインＬ１０とに分岐している。
熱交換器４０側のラインＬ１０には、開閉弁Ｖ１、Ｖ２が介装されている。
一方、氷蓄熱槽３６側のラインＬ７には、蓄熱槽３６内に冷熱を投入するための熱交換器３８が介装されている。
【００５４】
ラインＬ７とラインＬ１０は、合流点Ｇ２で合流し、ラインＬ１４ＡＢを流れ、分岐点Ｂ１で冷水（入）ラインＬ１４Ａ−Ｉ、Ｌ１４Ｂ−Ｉに分岐して、電動冷凍機１４Ａ或いは１４Ｂへ送られる。
【００５５】
ラインＬ１０の開閉弁Ｖ１、Ｖ２の開度は、冷熱負荷の大小に基いて調節される。
すなわち、図示しない冷熱負荷がゼロであれば、開閉弁Ｖ１、Ｖ２を完全に遮断して、吸収冷温水機１２或いは電動冷凍機１４Ａ、１４Ｂから供給される冷熱は、全て氷蓄熱槽３６へ投入される。
一方、冷熱負荷がピークに達した時には開閉弁Ｖ１、Ｖ２を最大限まで開放して、吸収冷温水機１２或いは電動冷凍機１４Ａ、１４Ｂから供給される冷熱、又は、氷蓄熱槽３６で蓄熱された冷熱を、熱交換器４０、冷水ラインＬ２０を介して図示しない冷熱負荷へ供給する。
【００５６】
夜間の様に熱的負荷が殆どゼロと見なせるか或いは小さい場合で、ＣＧＳ１０は連続運転が為されている場合には、開閉弁Ｖ１、Ｖ２の開度を極めて小さくする（蓄熱無負荷或いは蓄熱一部負荷）。
温熱媒体用ラインＬ１を介してＣＧＳ１０の温排熱が再生器１８を介して排熱焚吸収冷温水機１２に投入されるので、図２のシステムの内、吸収冷温水機１２のみが冷熱を生成する。
冷水ラインＬ１２−Ｉ、Ｌ１２−Ｏを流れるブラインは蒸発器２２により冷却され、その大部分はラインＬ７を通り、熱交換器３８を介して氷蓄熱槽３６に冷熱を投入する。そして、比較的少量のブラインはラインＬ１０側を流れ、その保有する冷熱は、熱交換器４０、冷水ラインＬ２０を介して、僅かな冷熱負荷に対して供給される。
【００５７】
氷蓄熱槽３６に冷熱を供給したブライン及び冷熱負荷に冷熱を供給したブラインは、合流点Ｇ２で合流し、ラインＬ１４ＡＢ、分岐点Ｂ１、電動冷凍機１４Ａ或いは１４Ｂ、合流点Ｇ１を介して、冷水（入）ラインＬ１２−Ｉに戻る。
【００５８】
この場合には、ＣＧＳ１０及び吸収冷温水機１２のみが稼動して、氷蓄熱槽３６に冷熱を蓄熱している。電動冷凍機１４Ａ、１４Ｂは稼動していない。
【００５９】
冷熱負荷（熱的負荷）が大きくなって、吸収冷温水機１２で発生する冷熱では不足する場合は、電動冷凍機１４Ａ、１４Ｂのいずれか一方或いは双方を稼動する事により、これに対処する。
この場合、開閉弁Ｖ１、Ｖ２は、その時点における冷熱負荷に相当する開度に調節される。
【００６０】
蒸発器２４Ａ及び／又は２４Ｂで冷却されたブラインは、吸収冷温水機１２でさらに冷却されて、ラインＬ１２−Ｏ、分岐点Ｂ２を介して、熱的負荷に対応する量のブラインがラインＬ１０をながれる。このブラインが保有する冷熱は、熱交換器４０、冷水ラインＬ１０を介して冷熱負荷へ供給される。
一方、ラインＬ７を流れるブラインが保有する熱量は、氷蓄熱槽３６に蓄熱される。
【００６１】
冷熱負荷Ｌがさらに大きくなり、負荷要求のピーク時並となれば、上述した通り開閉弁Ｖ１、Ｖ２を全開として、電動冷凍機１４Ａ及び／又は電動冷凍機１４Ｂもフル稼動し、図２のシステムで投入出来る最大限度の冷熱が熱交換器４０、冷水ラインＬ１０を介して図示しない冷熱負荷へ投入される。
【００６２】
ここで、図示の実施形態によれば、熱的負荷Ｌが小さい或いは存在しない夜間等において、ＣＧＳ１０、吸収冷温水機１２の稼動により蓄熱槽３６内には冷熱が蓄熱されているので、負荷のピーク時においては、冷凍機１２、１４Ａ、１４Ｂのフル稼動に先だって、蓄熱された冷熱を使用することにより、当該冷凍機の１４Ａ、１４Ｂの運転時間を短縮して、電力消費量を低減することが出来る。
【００６３】
図２の実施形態におけるその他の構成及び作用効果は、図１の実施形態と同様である。
なお、図１、図２は冷房若しくは冷凍運転や冷熱蓄熱を行う場合で説明されているが、圧縮式冷凍機、吸収冷温水機を暖房運転モードに切り換えることにより、暖房運転、温熱蓄熱も可能である。
【００６４】
図３−図５は本発明の第３実施形態を示しており、吸収冷温水機と圧縮式冷凍機と組み合わせて構成され、且つ、冷暖房運転切替機能を有する所謂「複合冷暖房システム」に係る実施形態である。
【００６５】
図３で示す複合冷暖房システムは、ＣＧＳ１０と、吸収冷温水機１２と、圧縮式冷凍機１４とから概略構成されている。
圧縮式冷凍機１４は、室内熱交換器６０（所謂「室内機」）と、室外熱交換器６２（所謂「室外機」）とを有しており、室内熱交換器６０と室外熱交換器６２とはラインＬ６０で連通されている。
【００６６】
ラインＬ６０には、そこに介装された分岐・介装弁６４、６６を介して、ラインＬ６２が分岐或いは合流している。そして、ラインＬ６０、Ｌ６２には、それぞれ冷媒（例えば水、代替フロン、その他）が流過している。
【００６７】
ラインＬ６０には切換弁６８及びコンプレッサ７０が介装されており、コンプレッサ７０には電力供給ラインＬＣ７０を介してＣＧＳ１０の発電手段１９或いは商用電源ＣＧから電力が供給されている。
【００６８】
また、ラインＬ６２には切換弁７２及びコンプレッサ７４が介装されており、コンプレッサ７４には電力供給ラインＬＣ７４を介してＣＧＳ１０の発電手段１９或いは商用電源ＣＧから電力が供給されている。
さらにラインＬ６２は、吸収冷温水機１２の蒸発器２２に連通している。
【００６９】
なお、ラインＬ６０には膨張弁７６、７８が介装されており、ラインＬ６２には膨張弁８０、８２が介装されている。
【００７０】
次に図４を参照して、（図３で示す複合冷暖房システムの）冷房運転時における圧縮式冷凍機１４内の冷媒の流れについて説明する。なお、図４において、冷媒が流過するライン（経路）は太い実線で示されている。
【００７１】
冷房運転時において、室内熱交換器６０は蒸発器として作用し、圧縮式冷凍機１４内を循環する冷媒は、室内熱交換器６０により室内の空気と熱交換を行って室内空気より気化熱を奪って蒸発（気相に変化）して、矢印Ｂで示す様に流れる。気相冷媒は分岐・合流弁６４で、矢印Ｂ１及びＢ２で示す様に、ラインＬ６０を循環する経路と、ラインＬ６２を循環する経路とに分岐する。
【００７２】
ラインＬ６０に流入した気相冷媒（矢印Ｂ１）は、図４で示す様に切り換えられた切換弁６８により決定された経路を流れ、コンプレッサ７０で圧縮され、膨張弁７６を介して室外熱交換器６２に連通する。室外熱交換器６２は、図４で示す場合には凝縮器（第１の凝縮器）として機能して、気相冷媒（冷媒蒸気）と外気との間で熱交換を行い、冷媒を凝縮する。
凝縮された冷媒は、矢印Ｇ１で示す様に、分岐・合流弁６６へ向かう。
【００７３】
一方、ラインＬ６２に流入した気相冷媒（矢印Ｂ２）は、図４で示す様に切り換えられた切換弁７２により決定された経路を流れ、コンプレッサ７４で圧縮され、膨張弁８０を介して（吸収冷温水機１２の）蒸発器２２に連通する。
吸収冷温水機１２の蒸発器２２も、図４で示す場合には凝縮器（第２の凝縮器）として機能して、ラインＬ６２を流れる気相冷媒（冷媒蒸気）と吸収冷温水機１２内を循環する冷媒との間で熱交換を行い、（ラインＬ６２を流れる）冷媒を凝縮する。
凝縮された冷媒は、矢印Ｇ２で示す様に、分岐・合流弁６６へ向かう。
【００７４】
分岐・合流弁６６において、ラインＬ６０を流れた冷媒（矢印Ｇ１）と、ラインＬ６２を流れた冷媒（矢印Ｇ２）とが合流（矢印Ｇ）し、室内熱交換器６０に連通する。
冷房運転時においては、上述した循環を行うのである。
【００７５】
次に、次に図５を参照して、（図３で示す複合冷暖房システムの）暖房運転時における圧縮式冷凍機１４内の冷媒の流れについて説明する。図５においても、冷媒が流過するライン（経路）は太い実線で示されている。
なお、暖房運転時には、吸収冷温水機１２は温水器として使用される。
【００７６】
暖房運転時において、室内熱交換器６０は凝縮器として作用する。すなわち、圧縮式冷凍機１４内を循環する冷媒（液相冷媒）は、室内熱交換器６０により、その保有する熱量（気化熱）を室内の空気に供給（放出）して室温を上昇（暖房）せしめると共に、自らは液相に変化し、矢印Ｂで示す様に流れる。液相冷媒は分岐・合流弁６６で、矢印Ｂ１及びＢ２で示す様に、ラインＬ６０を循環する経路と、ラインＬ６２を循環する経路とに分岐する。
【００７７】
ラインＬ６０に流入した液相冷媒（矢印Ｂ１）は、室外熱交換器６２に流入する。室外熱交換器６２は、図５で示す場合には蒸発器（第１の蒸発器）として機能して、外気と液相冷媒の間で熱交換を行い、液相冷媒を加熱（或いは気化）する。
加熱された冷媒は、図５で示す様に切り換えられた切換弁６８により決定された経路を流れ、コンプレッサ７０で圧縮され、矢印Ｇ１で示す様に、分岐・合流弁６４へ向かう。
【００７８】
一方、ラインＬ６２に流入した液相冷媒（矢印Ｂ２）は、吸収冷温水機１２の蒸発器２２に連通する。
吸収冷温水機１２の蒸発器２２も、図５で示す場合に蒸発器（第２の蒸発器）として機能して、吸収冷温水機１２内を循環する冷媒が保有する熱量を、ラインＬ６２を流れる冷媒（液相冷媒）に投入して、加熱（或いは気化）する。
加熱された冷媒は、図５で示す様に切り換えられた切換弁７２により決定された経路を流れ、コンプレッサ７４で圧縮され、矢印Ｇ２で示す様に、分岐・合流弁６４へ向かう。
【００７９】
分岐・合流弁６４において、ラインＬ６０を流れた冷媒（矢印Ｇ１）と、ラインＬ６２を流れた冷媒（矢印Ｇ２）とが合流（矢印Ｇ）し、室内熱交換器６０に連通する。
暖房運転時においては、上述した循環を行うのである。
【００８０】
図６−図９は本発明の第４実施形態を示している。
この第４実施形態も、吸収冷温水機と圧縮式冷凍機と組み合わせて構成され、且つ、冷暖房運転切替機能を有する所謂「複合冷暖房システム」に係る実施形態である。但し、第４実施形態では、冬季における除霜機能（デフロスト機能）を付加した点で、第３実施形態とは異なっている。
図７−図９において、圧縮式冷凍機内の冷媒が流れる経路を太い実線で示してい。
なお、各種運転時の冷媒の流れを説明する以下の図面において、閉鎖するべき開閉弁は黒く塗りつぶした状態で示されており、開放されるべき開閉弁は白抜きで表現されている。
【００８１】
図６で示す本発明の第４実施形態は、図３で示す第３実施形態と概略同様である。但し、図６において、ラインＬ６２における分岐・開閉弁６４と膨張弁８０の間の領域Ｌ６２Ａに切換弁７２及びコンプレッサ７４をバイパスするバイパスラインＬ７０を設けた点、バイパスラインＬ７０に開閉弁８６を介装した点、ラインＬ６０における室内熱交換器６０と分岐・合流弁６４の間の領域Ｌ６０Ａに開閉弁８８を介装した点、ラインＬ６２における分岐・開閉弁６６と（吸収冷温水機１２の）蒸発器２２との間の領域Ｌ６２Ａに膨張弁９０を介装した点、が第３実施形態とは相違する。
図６で示す実施形態における他の構成は、図３−図５の第３実施形態と同様である。
【００８２】
次に、図７を参照して、第４実施形態における冷房運転時の冷媒の流れについて説明する。
冷房運転時を示す図７において、領域Ｌ６０Ａに介装された開閉弁８８は開放されているが、バイパスラインＬ７０に介装された開閉弁８６は閉鎖されている。従って、ラインＬ６２側を流れる冷媒は、切換弁７２、コンプレッサ７４を通過する。
【００８３】
図７で示す冷房運転時における冷媒の流れは、図４を参照して説明したのと同様である。すなわち、室内熱交換器６０は蒸発器として作用して、室内の空気から気化熱を奪い、室外熱交換器６２は第１の凝縮器として機能して冷媒が保有する熱量を外気に供給（放出）し、吸収冷温水機１２の蒸発器２２は第２の凝縮器として機能して冷媒が保有する熱量を吸収冷温水機１２内を循環する冷媒へ（気化熱を）供給するのである。
【００８４】
図８は、第４実施形態における暖房運転時の冷媒の流れについて説明する。
暖房運転時を示す図８においても、開閉弁８８は開放されているが、バイパスラインＬ７０に介装された開閉弁８６は閉鎖されている。従って、暖房時においても、ラインＬ６２側を流れる冷媒は、切換弁７２、コンプレッサ７４を通過する。
【００８５】
図８で示す冷房運転時における冷媒の流れは、図５を参照して説明したのと同様である。すなわち、室内熱交換器６０は凝縮器として作用して、冷媒が保有する熱量を室内の空気に供給或いは放散し、室外熱交換器６２は第１の蒸発器として機能して、外気から気化熱を奪い、吸収冷温水機１２の蒸発器２２は第２の蒸発器として機能し、吸収冷温水機１２内を循環する冷媒が保有する熱量を奪って冷媒を気化するのである。
【００８６】
図９は、第４実施形態による除霜運転（デフロスト運転）時の冷媒の流れを示している。
デフロスト運転時には、開閉弁８６は開放され、その結果、バイパスラインL ７０が開通する。そして、ラインL６２を流れる冷媒は切換弁７０、コンプレッ サ７４を流れずに、流路抵抗が小さいバイパスラインL７０を流過する。
【００８７】
一方、開閉弁８８は閉鎖されるので、分岐・合流弁６４、６６間のラインには冷媒は流れず、従って、室内熱交換器６０に冷媒は供給されない。これは、デフロスト運転時に室内熱交換器６０に冷媒が流れると、当該冷媒は室内空気から気化熱を奪ってしまうので、室内温度が低下し過ぎてしまうからである。
【００８８】
室内熱交換器６０に冷媒が供給されないことにより、分岐・合流弁６４では、冷媒を矢印ＢＧ２で示す方向にのみ流過せしめ、分岐・合流弁６６では冷媒を矢印ＢＧ１で示す方向にのみ流過する。
【００８９】
図９で示すデフロスト運転時には、吸収冷温水機１２は温水機として機能しており、蒸発器２２では、吸収冷温水機１２内を循環する冷媒が保有する熱量を、ラインＬ６２を流れる冷媒へ投入している。
【００９０】
吸収冷温水機１２の蒸発器２２で加熱された冷媒は、バイパスラインＬ７０及び開閉弁８６を介して、分岐・合流弁６４を矢印ＢＧ２で示す様に流過する。そして、図９で示す様に切り換えられた切換弁６８、コンプレッサ７０を介して、室外熱交換器６２に供給され、当該冷媒が保有する熱量により室外熱交換器６２を除霜する。
【００９１】
室外熱交換器６２を除霜して温度低下した冷媒は、分岐・合流弁６６を矢印ＢＧ１で示す様に流過し、再び吸収冷温水機１２の蒸発器２２に連通する。
以後、この循環を繰り返し、吸収冷温水機１２内を循環する冷媒が保有する熱量により、室外熱交換器６２の除霜が為される。
【００９２】
図１０、図１１は本発明の第５実施形態を示している。
図１０で示す第５実施形態にかかる複合冷暖房システムは、図６−図９の第４実施形態と概略同様の構成を具備している。しかし、図６−図９の第４実施形態では、ラインＬ６２側の切換弁７２及びコンプレッサ７４について、バイパスラインＬ７０が設けられたが、図１０の第５実施形態では、ラインＬ６０側の切換弁６８及びコンプレッサ７０をバイパスするバイパスラインＬ７２と、それに介装された開閉弁９０が設けられている。
その他の構成については、特に図６で示すのと同様である。
【００９３】
図１０で示す第５実施形態の冷房運転は図７で示すのと同様であり、暖房運転は図８で示すのと同様である。
図１１は第５実施形態でデフロスト運転を行った場合を説明するためのものであり、冷媒が流れる経路が太い実線で示されている。図１１におけるデフロスト運転は、図９で示すのと概略同様であり、開閉弁８８が閉鎖しているため、室内熱交換器６０には冷媒は流過しない。一方、開閉弁９０が開閉しているため、ラインＬ１０を流れる冷媒は、切換弁６８、コンプレッサ７０をバイパスして、流過抵抗の小さいバイパスラインＬ７２を流過する。
【００９４】
図１１で示すデフロスト運転において、ラインＬ６２を流れる冷媒は吸収冷温水機１２の蒸発器２２で加熱され、図１１で示す様に切り換えられた切換弁７２とコンプレッサ７４を介して、矢印ＢＧ２で示す様に分岐・合流弁６４を流れる。そして、バイパスラインＬ７２を介して室外熱交換器６２に流入して、その保有する熱量により除霜を行う。
その他については、図９で示すのと同様である。
【００９５】
図１２−図１９は本発明の第６実施形態を示しており、過冷却蓄熱方式を採用した複合冷暖房システムを示している。そして、図１２−図１９は、蓄熱槽冷媒ライン分離型のシステムを採用している。
図１２で示す第６実施形態に係る複合冷暖房システムは、図３で示す第３実施形態に係る複合冷暖房システムに蓄熱槽１００及びそれに関連するラインを付加している。
【００９６】
図１２において、ラインＬ６０の室外熱交換器６２と膨張弁７８との間の領域Ｌ６０Ｃからは、分岐・合流点ＰＣ１、ＰＣ２より循環ラインＬ１００が分岐或いは合流しており、循環ラインＬ１００は蓄熱槽１００に連通している。
蓄熱槽１００には、ラインＬ１００を流れる冷媒と蓄熱槽１００内の熱媒との間で熱交換を行うための熱交換器１００Ａと、後述するラインＬ１０８内を流れる冷媒と蓄熱槽１００内の熱媒との間で熱交換を行うための熱交換器１００Ｂが設けられている。
【００９７】
分岐・合流点ＰＣ１、ＰＣ２の間の領域には開閉弁１０２が介装されており、蓄熱層１００に連通するラインＬ１００には開閉弁１０４及び膨張弁１０６が介装されている。
蓄熱層１００に連通するラインＬ１００の分岐・合流点ＰＣ３からは、開閉弁１０８を介装したラインＬ１０８が分岐して、ラインＬ６０の室内熱交換器６０と分岐・合流弁６４との間の領域Ｌ６０Ａに合流（分岐・合流点ＰＣ４）している。
【００９８】
ラインＬ６０の室内熱交換器６０と分岐・合流弁６４との間の領域Ｌ６０Ａには、さらに、分岐・合流点ＰＣ５からラインＬ１０４が分岐しており、ラインＬ１０４には開閉弁１１０が介装されている。
ラインＬ１０４は、分岐・合流点ＰＣ６においてラインＬ１０６とラインＬ１０８とに分岐する。
【００９９】
ラインＬ１０６には開閉弁１１４が介装されており、分岐・合流点ＰＣ７でラインＬ６２に合流している。
一方、ラインＬ１０８は蓄熱槽１００に連通し、膨張弁１１２を介装しており、分岐・合流点ＰＣ８でラインＬ６２に合流する。
なお、ラインＬ６２の分岐・合流点ＰＣ７、ＰＣ８間の領域には、開閉弁１１４が介装されている。
【０１００】
図１２において、分岐・合流弁ＰＣ８と（吸収冷温水機１２の）蒸発器２２の間の領域は、符号Ｌ６２Ａで示されている。
図１２で示す複合冷暖房システムのその他の構成については、図３−図５で示す複合冷暖房システムと同様である。
【０１０１】
図１３は、第６実施形態の冷房運転時における冷媒の流れを（太い実線で示して）説明する図である。
図１３で示す様に、冷房運転時には開閉弁１０２、１１６は開放されるが、開閉弁１０４、１０８、１１０、１１４は閉鎖される。その結果、蓄熱槽１００に連通するラインＬ１００、Ｌ１０４、Ｌ１０６、Ｌ１０８には冷媒は流れなくなる。
図１３における冷房運転時の冷媒の流れその他については、図４で示すのと同様となる。
【０１０２】
図１４は、図１２で示す第６実施形態の冷熱蓄熱運転時を説明するためのものであり、冷媒の経路を太い実線で示している。
ここで冷熱蓄熱運転とは、例えば夜間の様に、熱的負荷が殆どゼロと見なせるか或いは小さい場合であって、ＣＧＳ１０は連続運転が為されている場合には、ＣＧＳ１０及び吸収冷温水機１２のみが稼動して、蓄熱槽１００に冷熱を蓄熱している（蓄熱無負荷）運転状態を意味している。
【０１０３】
図１４で示す冷熱蓄熱運転時には、開閉弁１０８、１１０は開放しており、膨張弁１０６、１１２も連通可能な状態となっているが、開閉弁１０２、１０４、１１４、１１６は閉鎖状態である。その結果、ラインＬ６０の分岐・合流点ＰＣ１、分岐・合流弁６６、室内熱交換器６０、分岐・合流点ＰＣ３までの領域には、冷媒は流れなくなる。
【０１０４】
ラインＬ６０の領域Ｌ６０Ａを流れる冷媒（矢印Ｂで示す）は、分岐・合流弁６４でラインＬ６０側（矢印Ｂ１）とラインＬ６２側（矢印Ｂ２）とに分岐する。
【０１０５】
ラインＬ６０を流れる冷媒（矢印Ｂ１）は、切換弁６８、コンプレッサ７０を介して室外熱交換器６２に流入する。ここで、室外熱交換器６２は凝縮器（第１の凝縮器）として機能し、ラインＬ６０内を流れる冷媒が保有する気化熱を外気に供給（拡散）して凝縮せしめる。
【０１０６】
凝縮した冷媒は、合流・分岐点ＰＣ１からラインＬ１００に流入し、膨張弁１０６を経由して蓄熱槽１００に連通する。蓄熱槽１００では、熱交換器１００Ａを介して、凝縮した冷媒は蓄熱槽１００内の熱媒（例えば水）から気化熱を奪って気化する。換言すれば、熱交換器１００Ａは蒸発器（第１の蒸発器）として機能し、熱交換器１００Ａを介して、冷媒が保有する冷熱が蓄熱槽１００内に投入されるのである。
【０１０７】
冷熱を蓄熱槽１００に投入して気化した冷媒は、ラインＬ１００、分岐合流点ＰＣ３、ラインＬ１０２、開閉弁１０８を経由して、分岐・合流点ＰＣ４でラインＬ６０（領域Ｌ６０Ａ）に合流する（矢印Ｇ２）。
【０１０８】
ラインＬ６２を流れる冷媒（矢印Ｂ２）は、切換弁７２、コンプレッサ７４を介して吸収冷温水機１２の蒸発器２２に流入する。蒸発器２２は凝縮器（第２の凝縮器）として機能し、ラインＬ６２内を流れる冷媒が保有する気化熱を、吸収冷温水機１２を循環する冷媒に投入せしめて、ラインＬ６２内を流れる冷媒を凝縮する。
【０１０９】
凝縮した冷媒は、合流・分岐点ＰＣ８からラインＬ１０８に流入し、膨張弁１１２を経由して蓄熱槽１００に連通する。蓄熱槽１００では、熱交換器１００Ｂを介して、凝縮した冷媒は蓄熱槽１００内の熱媒から気化熱を奪って気化する。換言すれば、熱交換器１００Ｂは蒸発器（第２の蒸発器）として機能し、熱交換器１００Ｂを介して、ラインＬ１０８を流れる冷媒が保有する冷熱が、蓄熱槽１００内に投入される。
【０１１０】
冷熱を蓄熱槽１００に投入して気化した冷媒は、ラインＬ１０８、分岐合流点ＰＣ６、ラインＬ１０４、開閉弁１１０を経由して、分岐・合流点ＰＣ５でラインＬ６０（領域Ｌ６０Ａ）に合流する（矢印Ｇ１）。
【０１１１】
すなわち、図１４の冷熱蓄熱運転時には、冷媒はラインＬ６０側とラインＬ６２側に分岐して、それぞれ室外熱交換器６２、（吸収冷温水機１２の）蒸発器２２で冷却（凝縮）される。そして、蓄熱槽１００の熱交換器１００Ａ、１００Ｂを介して、それぞれが保有する冷熱が蓄熱槽１００内に投入されるのである。
【０１１２】
図１５は、第６実施形態の蓄熱利用冷房運転時を示しており、冷媒の経路が太い実線で示されている。
この蓄熱利用冷房運転時には、室外機（室外熱交換器）或いは吸収冷温水機の蒸発器で冷媒に対して冷熱を供給しつつ、蓄熱槽においても冷熱を供給し、冷熱負荷である室内機（室内熱交換器）において、室内空気に対して冷熱を供給するのである。
【０１１３】
図１５の蓄熱利用冷房運転時において、開閉弁１０２、１０８、１１０、１１６は閉鎖され、開閉弁１０４、１１４は開放状態となっている。この状態において、冷熱負荷である室内熱交換器６０は蒸発器として機能して、室内空気から冷媒に対して気化熱が供給される。
気化した冷媒はラインＬ６０の領域Ｌ６０Ａを流れ、分岐・合流弁６４でラインＬ６０側（矢印Ｂ１）と、ラインＬ６２側（矢印Ｂ２）に分岐する。
【０１１４】
ラインＬ６０側（矢印Ｂ１）を流れる冷媒は、切換弁６８、コンプレッサ７０、膨張弁７６を介して室外熱交換器６２に供給され、外気との間で熱交換が行われる。すなわち、室外熱交換器６２は凝縮器（第１の凝縮器）として機能して、冷媒が保有する熱量を外気に投入（放散）して、冷媒を凝縮或いは降温せしめる。
【０１１５】
凝縮或いは降温された冷媒は、分岐・合流点ＰＣ１からラインＬ１００を流れ、熱交換器１００Ａで蓄熱槽１００から冷熱が投入される。すなわち、熱交換器１００Ａも凝縮器（第１の凝縮器を補完する凝縮器）として機能し、冷媒が保有する熱量を蓄熱槽１００内の熱媒に投入せしめ、当該冷媒を降温する。
蓄熱槽１００で降温された冷媒は、ラインＬ１００を流れ、開閉弁１０４、分岐・合流点ＰＣ２を経由してラインＬ６０に戻り、分岐・合流弁６６に流れる。
【０１１６】
一方、ラインＬ６２側（矢印Ｂ２）を流れる冷媒は、切換弁７２、コンプレッサ７４を介して吸収冷温水機１２の蒸発器２２に流入する。蒸発器２２は凝縮器（第２の凝縮器）として機能し、ラインＬ６２内を流れる冷媒が保有する気化熱を、吸収冷温水機１２を循環する冷媒に投入せしめて、ラインＬ６２内を流れる冷媒を凝縮或いは降温する。
【０１１７】
凝縮或いは降温された冷媒は、ラインＬ６２の領域Ｌ６２Ａ及び合流・分岐点ＰＣ８を介してラインＬ１０８に流入し、蓄熱槽１００内の熱交換器１００Ｂに連通する。
蒸発器２２は凝縮器（第２の凝縮器）として機能し、ラインＬ６２内を流れる冷媒が保有する気化熱を、吸収冷温水機１２を循環する冷媒に投入せしめて、ラインＬ６２内を流れる冷媒を凝縮する。
【０１１８】
凝縮した冷媒は、ラインＬ６２の領域Ｌ６２Ａ、合流・分岐点ＰＣ８を介してラインＬ１０８に流入し、蓄熱槽１００の熱交換器１００Ｂに供給される。この熱交換器１００Ｂを介して、凝縮した冷媒に対して蓄熱槽１００から冷熱が投入される。すなわち、熱交換器１００Ｂも凝縮器（第２の凝縮器を補完する凝縮器）として機能し、冷媒が保有する熱量を蓄熱槽１００内の熱媒に投入せしめ、当該冷媒を降温する。
【０１１９】
蓄熱槽１００から冷熱を供給された冷媒は、ラインＬ１０８、分岐・合流点ＰＣ６、ラインＬ１０６、開閉弁１１４、分岐・合流点ＰＣ７を経由して、ラインＬ６２に流入する。そして、膨張弁８２を経て分岐・合流弁６６に到達し、矢印Ｇ２で示す様に流れる。
【０１２０】
ラインＬ６０側から供給された冷媒（矢印Ｇ１）と、ラインＬ６２側から供給された冷媒（矢印Ｇ２）とは、分岐・合流弁６６で合流し、冷熱負荷である室内熱交換器６０（蒸発器として作用する）でその冷熱を室内の空気へ供給する。
以下、上述の流れを繰り返す。
【０１２１】
図１６は第６実施形態の暖房運転時を示しており、冷房の経路は太い実線で示されている。
この場合、開閉弁１０２、１１６は開放されており、開閉弁１０４、１０８、１１０、１１４は閉鎖されている。従って、蓄熱槽１００及びそれに連通するラインには、冷媒は流過していない。
図１６で示す冷媒の流れは、図５で示す冷媒の流れと同様である。
【０１２２】
図１７は第６実施形態の温熱蓄熱運転時を説明するためのものであり、冷媒の経路を太い実線で示している。
ここで温熱蓄熱運転は、例えば夜間の様に、熱的負荷が殆どゼロと見なせるか或いは小さい場合であって、ＣＧＳ１０は連続運転が為されている場合に、ＣＧＳ１０及び吸収冷温水機１２のみが稼動して、蓄熱槽１００に温熱を蓄熱している（蓄熱無負荷）運転状態を意味している。
【０１２３】
図１７で示す冷熱蓄熱運転時には、開閉弁１０８、１１０は開放しているが、開閉弁１０２、１０４、１１４、１１６は閉鎖状態である。
分岐・合流弁６４で合流した冷媒は、分岐・合流点ＰＣ４でラインＬ１０２側と、ラインＬ１０４側とに分岐するが、分岐・合流点ＰＣ５から、室内熱交換器６０、分岐・合流弁６４、分岐・合流点ＰＣ１までの領域には、冷媒は流れなくなる。
【０１２４】
ラインＬ６０側においては、そこを流れる冷媒が室外熱交換器６２に流入すると、室外熱交換器６２は蒸発器（第１の蒸発器）として機能し、ラインＬ６０内を流れる冷媒に対して、外気が保有する熱量を供給して気化せしめる。
そしてラインＬ６０を流れる冷媒は、切換弁６８、コンプレッサ７０を介して分岐・合流弁６４を流れる（矢印Ｇ１）。
【０１２５】
ラインＬ６２側を流れる冷媒は、ラインＬ１０８、分岐・合流点ＰＣ８を経由して、吸収例温水機１２の蒸発器２２に流入する。この場合、蒸発器２２は蒸発器（第２の蒸発器）として機能し、ラインＬ６２内を流れる冷媒に対して、吸収冷温水機１２を循環する冷媒が保有する熱量を投入して気化している。
ラインＬ６２を流れる冷媒は、切換弁７２、コンプレッサ７４を介して分岐・合流弁６４を流れる（矢印Ｇ２）。
【０１２６】
分岐・合流弁６４で合流した冷媒は、分岐・合流点ＰＣ４でラインＬ１０２側（矢印Ｂ１）とラインＬ１０４側（矢印Ｂ２）とに分岐する。
ラインＬ１０２側（矢印Ｂ１）を流れる冷媒は、開閉弁１０８、分岐・合流点ＰＣ３を経由してラインＬ１００を流れ、蓄熱槽１００内の熱交換器１００Ａを流過する。熱交換器１００Ａでは、ラインＬ１００を流れる冷媒が保有する熱量が、蓄熱槽１００内の熱媒へ投入される。換言すれば、熱交換器１００ＡはラインＬ１００を流れる冷媒を凝縮する凝縮器（第１の凝縮器）として機能する。
熱交換器１００Ａで凝縮された冷媒は、ラインＬ１００を流れ、分岐・合流点ＰＣ１を経由してラインＬ６０を流れ、室外熱交換器６２（第１の蒸発器）に流入する。
【０１２７】
ラインＬ１０４側（矢印Ｂ２）を流れる冷媒は、開閉弁１１０を経由して、蓄熱槽１００内の熱交換器１００Ｂを流過する。その際に、熱交換器１００Ｂは凝縮器（第２の凝縮器）として機能し、ラインＬ１０４内を流れる冷媒が保有する熱量を蓄熱槽１００内に投入して、当該冷媒を降温して凝縮する。
熱交換器１００Ｂで凝縮した冷媒は、ラインＬ１０８、分岐・合流点ＰＣ８、領域Ｌ６２Ａを経由して、吸収冷温水機１２の蒸発器（第２の蒸発器）に流入する。
【０１２８】
すなわち、図１７の温熱蓄熱運転では、室外熱交換器６２（第１の蒸発器）或いは（吸収冷温水機１２の）蒸発器２２（第２の蒸発器）で蒸発して温熱を保有している冷媒は、蓄熱槽１００内の熱交換器１００Ａ或いは１００Ｂ（第１或いは第２の凝縮器）を介して、その保有している温熱を蓄熱槽１００に投入している。
その際に、負荷である室内熱交換器６０には、冷媒は流れないのである。
【０１２９】
図１８は、第６実施形態の蓄熱利用暖房運転時の状態を説明するものであり、冷媒の経路は太い実線で示されている。
蓄熱利用暖房運転時は、開閉弁１０２、１０８、１１０、１１６は閉鎖されるが、開閉弁１０４、１１４は開放している。
【０１３０】
温熱負荷である室内熱交換器６０（凝縮器として機能する）において、冷媒は保有する温熱を室内空気へ供給するので、降温して凝縮する。凝縮した冷媒は、分岐・合流弁６６において、ラインＬ６０側（矢印Ｂ１）とラインＬ６２側（矢印Ｂ２）とに分岐する。
【０１３１】
ラインＬ６０側（矢印Ｂ１）において、冷媒は、分岐・合流点ＰＣ２を経てラインＬ１００を流れ、開閉弁１０４、分岐・合流点ＰＣ３を経由して、蓄熱槽１００の熱交換器１００Ａを流れる。
熱交換器１００Ａは、第１の蒸発器（室外熱交換器６２）を補完する蒸発器として機能し、蓄熱槽１００内の熱媒が保有する温熱をラインＬ１００を流れる冷媒に供給して昇温或いは気化せしめる。
【０１３２】
消音或いは気化した冷媒はラインＬ１００を流れて、分岐・合流点ＰＣ１を経由してラインＬ６０を流れる。そして、ラインＬ６０を流れる冷媒は室外熱交換器６２に流入し、室外熱交換器６２は蒸発器（第１の蒸発器）として機能し、ラインＬ６０内を流れる冷媒に対して、外気が保有する熱量を供給して昇温或いは気化せしめる。
室外熱交換器６２を流過した冷媒は、切換弁６８、コンプレッサ７０を介して分岐・合流弁６４を流れる（矢印Ｇ１）。
【０１３３】
ラインＬ６２側（矢印Ｂ２）を流れる冷媒は、分岐・合流点ＰＣ７からラインＬ１０６を流れ、開閉弁１１４、分岐・合流点ＰＣ６を経由して、ラインＬ１０８を流れる。そして、蓄熱槽１００内の熱交換器１００Ｂに流入する。
熱交換器１００Ｂは、第２の蒸発器（吸収冷温水機１２の蒸発器２２）を補完する蒸発器として機能し、蓄熱槽１００内の熱媒が保有する温熱をラインＬ１０８を流れる冷媒に供給して昇温或いは気化せしめる。
【０１３４】
熱交換器１００Ｂを経てラインＬ１０８を流れる冷媒は、分岐・合流点ＰＣ８を経てラインＬ６２を流れ、領域Ｌ６２Ａを経由して、（吸収冷温水機１２の）蒸発器２２に流入する。
（吸収冷温水機１２の）蒸発器２２は蒸発器（第２の蒸発器）として機能し、ラインＬ６２を流れる冷媒に対して、吸収冷温水機１２内を循環する冷媒が保有する熱量を投入して、昇温或いは気化せしめる。
（吸収冷温水機１２の）蒸発器２２を経由した冷媒はラインＬ６２を流れ、切換弁７２、コンプレッサ７４を介して分岐・合流弁６４に向かって流れる（矢印Ｇ２）。
【０１３５】
すなわち、ラインＬ６０側を流れた冷媒は、（蓄熱槽１００内の）熱交換器１００Ａ（第１の蒸発器を補完する蒸発器）と、室外熱交換器６２（第１の蒸発器）とにより昇温・気化され、ラインＬ６２側を流れた冷媒は、（蓄熱槽１００内の）熱交換器１００Ｂ（第２の蒸発器を補完する蒸発器）と、（吸収冷温水機１２の）蒸発器２２（第２の蒸発器）とにより昇温・気化される。そして、両者は分岐・合流弁６４で合流して、ラインＬ６０の領域Ｌ６０Ａを流れ、温熱負荷である室内熱交換器６０に供給される。
【０１３６】
図１９は第６実施形態のデフロスト運転時の状態を説明するものであり、冷媒の経路は太い実線で示されている。
室外機（室外熱交換器）の除霜を行うデフロスト運転においては、さほどエネルギを消費しないので、吸収冷温水機１２側のエネルギを使用する必要はない。そのため、図１９では、蓄熱槽１００に蓄熱されている温熱のみを用いて、室外機の除霜を行っている。
【０１３７】
図１９で示すように、デフロスト運転に際しては、開閉弁１０２、１０４、１１０、１１４、１１６は閉鎖しており、開閉弁１０８は開放している。
【０１３８】
蓄熱槽１００内の熱交換器１００Ａにより、蓄熱槽１００に貯えられている温熱がラインＬ１００を流れる冷媒に供給されて、当該冷媒を昇温する。
昇温された冷媒は、ラインＬ１００を流れ、分岐・合流点ＰＣ３、ラインＬ１０２、開閉弁１０８、分岐・合流点ＰＣ４を経て、ラインＬ６０の領域Ｌ６０Ａを流れる。
【０１３９】
そして、前記冷媒はラインＬ６０を流れ、分岐・合流弁６４を経て、切換弁６８、コンプレッサ７０を介して室外熱交換器６２に供給される。
室外熱交換器６２において、冷媒が保有する熱量により除霜が行われ、冷媒は降温する。
【０１４０】
室外熱交換器６２を流過した冷媒は、分岐・合流点ＰＣ１から再びラインＬ１００を流れ、蓄熱槽１００に連通する。これにより、蓄熱槽１００に貯えられた温熱による除霜が行われるのである。
【０１４１】
蓄熱槽冷媒ライン分離型のシステムを採用している図１２−図１９の第６実施形態では、蓄熱槽には２つの熱交換器が設けられている。これに対して、蓄熱槽冷媒ライン一体型のシステムを採用している図２０の第７実施形態では、蓄熱槽には１つの熱交換器のみが用いられている。
図２０において、分岐・合流弁１２０、１２２が設けられ、ラインＬ６０に連通するラインＬ１００と、ラインＬ６２に連通するラインＬ１０６、Ｌ１０８とを合流せしめている。そして、分岐・合流弁１２０、１２２は、蓄熱槽１００に連通するラインＬ１２０を分岐しており、ラインＬ１２０には熱交換器１００Ｅが設けられている。
【０１４２】
すなわち、図２０の第７実施形態では、分岐・合流弁１２０、１２２と、蓄熱槽１００に連通するラインＬ１２０を別途設けることにより、蓄熱槽１００内に単一の熱交換器１００Ｅのみを設けることを可能としている。
【０１４３】
図２０の第７実施形態における上述以外の構成及び作用効果については、図１２−図１９の第６実施形態と同様である。
【０１４４】
図２１−図２９は、本発明の第８実施形態を示しており、冷媒凝縮蓄熱方式を採用した複合冷暖房システムであって、蓄熱槽冷媒ライン分離型のシステムを採用した実施形態を示している。
先ず、図２１を参照しつつ、第８実施形態に係る複合暖房システムを説明する。
【０１４５】
図２１において、熱的負荷である室内熱交換器６０（室内機）は、ラインＬ６０の領域Ｌ６０Ａに介装されている。
領域Ｌ６０Ａは、分離・合流弁６４において、室内熱交換器６２（室外機）側のラインＬ６０Ｂと、吸収冷温水機１２の蒸発器２２側のラインＬ６２Ｂとに分岐する。
【０１４６】
ラインＬ６０Ｂは、分岐・合流点ＰＥ１で、切換弁６８に連通するラインＬ６８と、開閉弁１３０が介装されたラインＬ７０とに分岐する。
切換弁６８は、ラインＬ６８、室外熱交換器６２に連通するラインＬ６０Ｃ、ラインＬ７２、ラインＬ７４を、複合冷暖房システムの運転モードに対応して、適宜接続・遮断する様に構成されている。
【０１４７】
ラインＬ７４は、分岐・合流点ＰＥ２で、開閉弁１３２を介装したラインＬ７６と、ラインＬ７８とに分岐している。そしてラインＬ７８は、分岐合流点ＰＥ３で、コンプレッサ７０を介装したラインＬ８０と、補助コンプレッサ１２８（ポンプとして作用する低揚程コンプレッサ、以下同じ）を介装したラインＬ８２とに分岐している。
ここで、コンプレッサ７０と補助コンプレッサ１２８を設けているのは、単一のコンプレッサでは運転条件が厳しく、負荷が大きい場合に対応するためである。
【０１４８】
ラインＬ８２は、分岐・合流点ＰＥ４で、開閉弁１３４を介装したラインＬ８４と、開閉弁１３６を介装したラインＬ８６とに分岐している。ラインＬ８４、ラインＬ８０、ラインＬ７２は、分岐・合流点ＰＥ５で合流或いは分岐している。
一方、ラインＬ８６は、分岐・合流点ＰＥ６でラインＬ７０と合流しており、ラインＬ７０とラインＬ７６は、分岐・合流点ＰＥ７で合流して、ラインＬ１００となる。
【０１４９】
ラインＬ１００は、蓄熱槽１００内の熱交換器１００Ａに連通しており、膨張弁１０６を経て、分岐・合流点ＰＥ８で、（室外熱交換器６２を介装している）ラインＬ６０Ｃと合流する。ここで、符号１２６も膨張弁を示している。
ラインＬ６０Ｃは、分岐・合流点ＰＥ８でラインＬ１００と合流して、膨張弁７８を経て、分岐・合流点６６に至る。
【０１５０】
一方、ラインＬ６２Ｂは、分岐・合流点ＰＥ１０で、切換弁７２に連通するラインＬ９０と、開閉弁１３８を介装したラインＬ９２とに分岐する。
切換弁７２は、ラインＬ９０、（吸収冷温水機１２の）蒸発器２２に連通するラインＬ６２Ｃ、ラインＬ９４、ラインＬ９６を、複合冷暖房システムの運転モードに対応して、適宜接続・遮断する。
【０１５１】
ラインＬ９６は、分岐・合流点ＰＥ１１で、開閉弁１４０を介装したラインＬ９８と、ラインＬ１００とに分岐している。そしてラインＬ１００は、分岐合流点ＰＥ１２で、コンプレッサ７４を介装したラインＬ１０２と、補助コンプレッサ１２９（ポンプとして作用する低揚程コンプレッサ、以下同じ）を介装したラインＬ１０４とに分岐している。
コンプレッサ７４と補助コンプレッサ１２９を設けているのは、ラインＬ６０Ｂ側の場合と同様に、単一のコンプレッサでは運転条件が厳しく、負荷が大きい場合に対応するためである。
【０１５２】
ラインＬ１０４は、分岐・合流点ＰＥ１３で、開閉弁１４２を介装したラインＬ１０６と、開閉弁１４４を介装したラインＬ１０８とに分岐している。ラインＬ１０６、ラインＬ１０２、ラインＬ９４は、分岐・合流点ＰＥ１４で合流或いは分岐している。
一方、ラインＬ１０８は、分岐・合流点ＰＥ１５でラインＬ９２と合流しており、ラインＬ９２とラインＬ９８は、分岐・合流点ＰＥ１６で合流して、ラインＬ１０６となる。
【０１５３】
ラインＬ１０６は、蓄熱槽１００内の熱交換器１００Ｂに連通しており、膨張弁１１２を経て、分岐・合流点ＰＥ１７で、（吸収冷温水機１２の蒸発器２２と連通している）ラインＬ６２Ｃと合流する。ここで、符号１２５も膨張弁を示している。
ラインＬ６２Ｃは、分岐・合流点ＰＥ１７でラインＬ１０６と合流して、膨張弁８２を経て、分岐・合流弁６６に至る。
【０１５４】
分岐・合流弁６６において、室外熱交換器６２側のラインＬ６０Ｃと、吸収冷温水機１２（の蒸発器２２）側のラインＬ６２Ｃとが合流し、ライン或いは領域Ｌ６０Ａとして、室内熱交換器６０に連通する。
図２１の実施形態における上述した以外の構成については、図１２−図１９の第６実施形態と同様である。
【０１５５】
図２２は、本発明の第８実施形態に係る複合冷暖房システムの冷房運転時の状態を示している。図２２以下の図面において、冷媒の流れは太い実線で表現されている。
【０１５６】
冷房運転に再しては、開閉弁１３０、１３２、１３４、１３６、１３８、１４０、１４２、１４４は閉鎖される。
切換弁６８は、ラインＬ６８をＬ７４に連通し、ラインＬ７２をＬ６０Ｃに連通する様に切り換えられる。一方、切換弁７２は、ラインＬ９０をＬ９６に連通し、ラインＬ９４をＬ６２Ｃに連通する様に切り換えられる。
【０１５７】
上述した様に開閉弁の開閉制御が為され、切換弁６８、７２が切り換えられる結果、室外熱交換器６２に連通する側では、コンプレッサ７０のみが駆動して、補助コンプレッサ１２８は駆動しない。
また、吸収冷温水機１２に連通する側では、コンプレッサ７４のみが駆動して、補助コンプレッサ１２９は駆動しない。
そして、蓄熱槽１００に連通するラインは全て閉鎖され、図２２で示す状態では、図１３で示すのと同様な作用を示すのである。
【０１５８】
図２３は、第８実施形態の冷熱蓄熱運転時の状態を示している。
図１４に関連して説明した通り、冷熱蓄熱運転は、例えば夜間の様に、熱的負荷が殆どゼロと見なせるか或いは小さい場合であって、ＣＧＳ１０は連続運転が為されている場合に行われる運転である。この場合、ＣＧＳ１０及び吸収冷温水機１２のみが稼動して、蓄熱槽１００に冷熱を蓄熱している（蓄熱無負荷）運転状態である。
【０１５９】
図２３の冷熱蓄熱運転時においては、開閉弁１３０、１３６、１３８、１４４が閉鎖して、開閉弁１３２、１３４、１４０、１４２が開放する。
また、切換弁６８はラインＬ７２をＬ６０Ｃと連通する様に切り換わり、切換弁７２はラインＬ９４をＬ６２Ｃと連通する様に切り換わる。
そして、室外機６２側では、コンプレッサ７０と補助コンプレッサ１２８とが共に駆動し、吸収冷温水機１２側では、コンプレッサ７４と補助コンプレッサ１２９とが共に駆動する。
【０１６０】
図２３で示す状態における作用は、図１４で説明したのと同様である。
すなわち、室外熱交換器６２は第１の凝縮器として機能し、冷媒が保有する熱量を外気に供給する。換言すれば、室外熱交換器６２において、冷媒に対して外気から冷熱が供給される。
【０１６１】
冷熱を保有する冷媒は、蓄熱槽１００の熱交換器１００Ａにおいて、保有する冷熱を蓄熱槽１００内に投入する。換言すれば、熱交換器１００Ａは蒸発器（第１の蒸発器）として機能し、ラインＬ１００を流れる冷媒は、蓄熱槽１００内の熱媒から気化熱を奪うのである。
【０１６２】
一方、吸収冷温水機１２内の蒸発器２２も凝縮器（第２の凝縮器）として機能し、ラインＬ６２Ｃ内を流れる冷媒が保有する熱量が、吸収冷温水機１２内を循環する冷媒に投入される。換言すれば、蒸発器２２において、ラインＬ６２Ｃ内を流れる冷媒には冷熱が供給される。
【０１６３】
冷熱を保有する冷媒は、ラインＬ１０６を介して蓄熱槽１００の熱交換器１００Ｂに流入し、保有する冷熱を蓄熱槽１００内に投入する。換言すれば、熱交換器１００Ｂも蒸発器（第２の蒸発器）として機能し、ラインＬ１０６を流れる冷媒は、蓄熱槽１００内の熱媒から気化熱を奪う。
【０１６４】
図２３の状態における作用は、図１４で示すのと同様である。
【０１６５】
図２４は、第８実施形態の蓄熱利用冷房運転時の状態を示している。
蓄熱利用冷房運転は、図１５に関連して説明した様に、室外機（室外熱交換器）或いは吸収冷温水機の蒸発器で冷媒に対して冷熱を供給しつつ、蓄熱槽においても冷熱を供給し、冷熱負荷である室内機（室内熱交換器）において、室内空気に対して冷熱を供給するのである。
しかし、図１５では、室外熱交換器或いは吸収冷温水機の蒸発器と、蓄熱槽とは、冷熱負荷に対して直列に配置されているが、図２４では、室外熱交換器或いは吸収冷温水機の蒸発器と、蓄熱槽とは、冷熱負荷に対して並列に配置されている点が相違する。
【０１６６】
図２４において、開閉弁１３０、１３２、１３４、１３８、１４０、１４２は閉鎖されているが、開閉弁１３６、１４４は開放されている。
切換弁６８は、ラインＬ６８とＬ７４を連通し、且つ、ラインＬ７２とＬ６０Ｃとを連通する様に切り換わる。そして、切換弁７２は、ラインＬ９０とＬ９６を連通し、且つ、ラインＬ９４とＬ６２Ｃを連通する様に切り換わる。
また、コンプレッサ７０と補助コンプレッサ１２８とは共に駆動し、コンプレッサ７２と補助コンプレッサ１２９も共に駆動する。
【０１６７】
冷熱負荷である室内熱交換器６０において、冷熱を室内空気に供給した冷媒は、分岐・合流弁６４において、ラインＬ６０Ｂ（矢印Ｂ１）とラインＬ６２Ｂ（矢印Ｂ２）とに分岐する。
【０１６８】
ラインＬ６０Ｂ側を流れる冷媒は、ラインＬ６８、切換弁６８、ラインＬ７４、ラインＬ７８を経由して、分岐・合流点ＰＥ３でラテンＬ８０とラインＬ８２とに分岐する。
ラインＬ８０を流れる冷媒は、コンプレッサ７０、切換弁６８、ラインＬ６０Ｃを介して室外熱交換器６２（第１の凝縮器として機能）に流入し、冷熱が供給される。
一方、ラインＬ８２を流れる冷媒は、補助コンプレッサ１２８、ラインＬ８６、ラインＬ７０、ラインＬ１００を流れて、蓄熱槽１００の熱交換器１００Ａ（第１の凝縮器を補完する凝縮器として機能する）に流入して、冷熱が供給される。
【０１６９】
すなわち、ラインＬ６０Ｂ側を流れる冷媒は２系統に分岐され、室外熱交換器６２或いは蓄熱槽１００の熱交換器１００Ａにより、冷熱が付加される。
そして、冷熱が付加された冷媒が流れる２系統のラインＬ６０ＣとＬ１００は、分岐・合流点ＰＥ８で合流して、分岐・合流弁６６へ流れる。
【０１７０】
ラインＬ６２Ｂを流れる冷媒は、ラインＬ９０、切換弁７２、ラインＬ９６、ラインＬ１００を経て、分岐・合流点ＰＥ１２で、ラインＬ１０２とラインＬ１０４とに分岐される。
ラインＬ１０２を流れる冷媒は、コンプレッサ７４、ラインＬ９４、切換弁７２を経て、ラインＬ６２Ｃを流れ、吸収冷温水機１２の蒸発器２２（第２の凝縮器として機能）において冷熱が供給される。
ラインＬ１０４を流れる冷媒は、補助コンプレッサ１２９、ラインＬ１０８、ラインＬ９２を経て、ラインＬ１０６を流れ、蓄熱槽１００の熱交換器１００Ｂ（第２の凝縮器を補完する凝縮器として機能する）に流入して、冷熱が供給される。
【０１７１】
すなわち、ラインＬ６２Ｂ側を流れる冷媒も２系統に分岐され、吸収冷温水機１２（の蒸発器２２）或いは蓄熱槽１００の熱交換器１００Ｂにより、冷熱が付加される。
そして、冷熱が付加された冷媒が流れる２系統のラインＬ６２ＣとＬ１０６は、分岐・合流点ＰＥ１７で合流して、分岐・合流弁６６へ流れる。
【０１７２】
分岐・合流弁６６では、室外熱交換器６２側のラインＬ６０Ｃ（矢印Ｇ１）と、吸収冷温水機１２に連通する側のラインＬ６２Ｃ（矢印Ｇ２）とが合流して、ラインＬ６０Ａを流れる。このラインを流れる冷媒は、熱的負荷である室内熱交換器６０に供給されて、室内空気に冷熱を供給する。
【０１７３】
図２５は、第８実施形態の暖房運転時の状態を示している。
暖房運転を行うに際しては、図２５で示す様に、開閉弁１３０、１３２、１３４、１３６、１３８、１４０、１４２、１４４は閉鎖される。
切換弁６８は、ラインＬ６０ＣをラインＬ７４と連通し、且つ、ラインＬ７２をラインＬ６８に連通する様に切り換わる。一方、切換弁７２は、ラインＬ６２ＣをラインＬ９６に連通し、且つ、ラインＬ９４をラインＬ９０に連通する様に切り換わる。
そして、コンプレッサ７０、７４は駆動するが、補助コンプレッサ１２８、１２９は駆動しない。
【０１７４】
暖房運転に際しては、蓄熱槽１００に連通するラインは全て閉鎖される。そして、図２５で示す暖房運転の作用は、図１６の暖房運転と同様である。
【０１７５】
図２６は第８実施形態の温熱蓄熱運転時を説明するためのものでる。
図１７で関連して説明した様に、温熱蓄熱運転は、例えば夜間の様に、熱的負荷が殆どゼロと見なせるか或いは小さい場合であって、ＣＧＳ１０は連続運転が為されている場合に、ＣＧＳ１０及び吸収冷温水機１２のみが稼動して、蓄熱槽１００に温熱を蓄熱している（蓄熱無負荷）運転状態を意味している。
【０１７６】
図２６の冷熱蓄熱運転時においては、開閉弁１３０、１３４、１３８、１４２は開放しており、開閉弁１３２、１３６、１４０、１４４が閉鎖する。
切換弁６８は、ラインＬ６０ＣとラインＬ７４とが連通し、且つ、ラインＬ７２とラインＬ６８とが連通する様に切り換わり、切換弁７２は、ラインＬ６２ＣとラインＬ９６とが連通し、且つ、ラインＬ９４とラインＬ９０とが連通する様に切り換わる。
そして、室外機６２側では、コンプレッサ７０と補助コンプレッサ１２８とが共に駆動し、吸収冷温水機１２側では、コンプレッサ７４と補助コンプレッサ１２９とが共に駆動する。
【０１７７】
室外熱交換器６２は第１の蒸発器として機能し、冷媒に対して外気から熱量（温熱）を投入する。加熱されて温熱を保有した冷媒は、ラインＬ６０Ｃ、切換弁６８、ラインＬ７４、ラインＬ７８、ラインＬ８０或いはＬ８２（Ｌ８０或いはＬ８２は並列に配置）、ラインＬ７２、切換弁６８、ラインＬ６８、ラインＬ７０を経由して、ラインＬ１００を流れ、蓄熱槽１００の熱交換器１００Ａに流入する。
【０１７８】
熱交換器１００Ａは凝縮器（第１の凝縮器）として機能し、ラインＬ１００を流れる冷媒が保有する熱量を蓄熱槽１００内の熱媒に投入して（温熱の蓄熱）、冷媒自体は降温せしめる。
降温した冷媒は、ラインＬ１００、分岐・合流点ＰＥ８を介して、ラインＬ６０Ｃを流過して、室外熱交換器６２に戻る。
以後、この循環を繰り返す。
【０１７９】
一方、吸収冷温水機１２内の蒸発器２２も蒸発器（第２の蒸発器）として機能し、ラインＬ６２Ｃ内を流れる冷媒に対して、吸収冷温水機１２内を循環する冷媒が保有する熱量（温熱）を投入する。
【０１８０】
温熱を保有する冷媒は、ラインＬ６０Ｃ、切換弁７２、ラインＬ９６、ラインＬ１００、ラインＬ１０２或いはＬ１０４（Ｌ１０２、Ｌ１０４は並列に配置されている）、ラインＬ９４、切換弁７２、ラインＬ９０、ラインＬ９２を経て、ラインＬ１０６を流れ、蓄熱槽１００の熱交換器１００Ｂに流入する。そして、ラインＬ１０６を流れる冷媒が保有する、熱量（温熱）を蓄熱槽１００内に投入する。
換言すれば、熱交換器１００Ｂも凝縮器（第２の凝縮器）として機能し、ラインＬ１０６を流れる冷媒の温熱を蓄熱槽１００内の熱媒に投入して、零倍自体は降温される。
【０１８１】
図２６の状態におけるその他の作用は、図１７で示すのと同様である。
【０１８２】
図２７は、第８実施形態の蓄熱利用暖房運転時の状態を示している。
蓄熱利用暖房運転では、図１８に関連して説明した様に、室外機（室外熱交換器）或いは吸収冷温水機の蒸発器で冷媒に対して温熱を供給しつつ、蓄熱槽においても温熱を供給し、熱的負荷である室内機（室内熱交換器）において、室内空気に対して温熱を供給する。
しかし、図１８では、室外熱交換器或いは吸収冷温水機の蒸発器と、蓄熱槽とは、熱的負荷に対して直列に配置されているが、図２７では、室外熱交換器或いは吸収冷温水機の蒸発器と、蓄熱槽とは、熱的負荷に対して並列に配置されている点が相違する。
【０１８３】
図２７において、開閉弁１３０、１３６、１３８、１４４は閉鎖されているが、開閉弁１３２、１３４、１４０、１４２は開放されている。
切換弁６８は、ラインＬ６０ＣとラインＬ７４を連通し、且つ、ラインＬ７２とラインＬ６８とを連通する様に切り換わる。そして、切換弁７２は、ラインＬ６２ＣとラインＬ９６を連通し、且つ、ラインＬ９４とラインＬ９０を連通する様に切り換わる。
また、コンプレッサ７０と補助コンプレッサ１２８とは共に駆動し、コンプレッサ７２と補助コンプレッサ１２９も共に駆動する。
【０１８４】
熱的負荷である室内熱交換器６０において、温熱を室内空気に供給した冷媒は、分岐・合流弁６６において、ラインＬ６０Ｃ（矢印Ｂ１）とラインＬ６２Ｃ（矢印Ｂ２）とに分岐する。
【０１８５】
ラインＬ６０Ｃは、分岐・合流点ＰＥ８でラテンＬ１００が分岐する。そして、ラインＬ６０Ｃは、膨張弁１２６を経て、室外熱交換器６２（第１の蒸発器として機能）に連通し、ラインＬ６０Ｃを流れる冷媒は、室外熱交換器６２により、外気から熱量（温熱）が供給される。
室外熱交換器６２で温熱が投入された冷媒はラインＬ６０Ｃを流れ、切換弁６８、ラインＬ７４を経由して、分岐・合流点ＰＥ２に向かう。
【０１８６】
ラインＬ１００を流れる冷媒は、蓄熱槽１００の熱交換器１００Ａ（第１の蒸発器を補完する蒸発器として機能）に流入して、蓄熱槽１００内に蓄熱された温熱が供給されて昇温する。
熱交換器１００Ａで加熱された冷媒はラインＬ１００を流れ、ラインＬ７６を経由して、分岐・合流点ＰＥ２に向かう。
【０１８７】
室外熱交換器６２で加熱された冷媒が流れるラインＬ７４と、熱交換器１００Ａで加熱された冷媒が流れるラインＬ７６とは、分岐・合流点ＰＥ２で合流する。そして、ラインＬ７８、コンプレッサ７０を介装したラインＬ８０或いはそれと並列に配置され且つ補助コンプレッサ１２８を介装したラインＬ８２（ラインＬ８４に連通している）、ラインＬ７２、切換弁６８、ラインＬ６８を介して、ラインＬ６０Ｂを流れ、分岐・合流弁６４に向かう。
【０１８８】
すなわち、ラインＬ６０Ｃ側を流れる冷媒は２系統に分岐され、室外熱交換器６２或いは蓄熱槽１００の熱交換器１００Ａにより、温熱が投入される。
そして、温熱が投入された冷媒が流れる２系統のラインは、分岐・合流点ＰＥ２で合流して、分岐・合流弁６４へ流れるのである。
【０１８９】
ラインＬ６２Ｃは、分岐・合流点ＰＥ１７でラインＬ１０６が分岐している。そしてラインＬ６２Ｃは、膨張弁１２５を介して、吸収冷温水機１２の蒸発器２２に連通する。
吸収冷温水機１２の蒸発器２２（第２の蒸発器として機能）において、ラインＬ６２Ｃを流れる冷媒に対して、吸収冷温水機１２内を循環する冷媒が保有する熱量（温熱）が投入され、加熱される。
加熱された冷媒はラインＬ６２Ｃを流れ、切換弁７２を介してラインＬ９６を流れて、分岐・合流点ＰＥ１１に向かう。
【０１９０】
分岐・合流点ＰＥ１７で分岐したラインＬ１０６は、蓄熱槽１００の熱交換器１００Ｂ（第２の蒸発器を補完する蒸発器として機能）に流入して、ラインＬ１０６内を流れる冷媒に対しては、蓄熱槽１００内に蓄熱された熱量（温熱）が供給され、加熱される。
熱交換器１００Ｂで加熱された冷媒はラインＬ１０６を流れ、分岐・合流点ＰＥ１６を介してラインＬ９８を流れて、分岐・合流点ＰＥ１１に向かう。
【０１９１】
吸収冷温水機１２（の蒸発器２２）で加熱された冷媒が流れるラインＬ９６と、蓄熱槽１００で加熱された冷媒が流れるラインＬ９８は、分岐・合流点ＰＥ１１で合流する。そして、ラインＬ１００に連通し、コンプレッサ７４を介装したラインＬ１０２或いはそれと並列に設けられ且つ補助コンプレッサ１２９を介装したラインＬ１０４（ラインＬ１４２と連通）、ラインＬ９４、切換弁７２、ラインＬ９０を経て、ラインＬ６２Ｂを流れて、分岐・合流弁６４に向かう。
【０１９２】
すなわち、ラインＬ６２Ｃ側を流れる冷媒も２系統に分岐され、吸収冷温水機１２（の蒸発器２２）或いは蓄熱槽１００の熱交換器１００Ｂにより、温熱が投入される。
そして、温熱が投入された冷媒が流れる２系統のラインは、分岐・合流点ＰＥ１１で合流して、分岐・合流弁６４へ流れる。
【０１９３】
分岐・合流弁６４では、室外熱交換器６２側のラインＬ６０Ｂ（矢印Ｇ１）と、吸収冷温水機１２に連通する側のラインＬ６２Ｂ（矢印Ｇ２）とが合流して、ラインＬ６０Ａを流れる。このラインを流れる冷媒は、熱的負荷である室内熱交換器６０に供給されて、室内空気に温熱を供給する。
【０１９４】
図２７の状態における上述した以外の作用は、図１８で説明したのと同様である。
【０１９５】
図２８は第８実施形態の蓄熱利用除霜運転時の状態を示す図である。
図１９に関連して説明した様に、室外機（室外熱交換器）の除霜を行うデフロスト運転においては、さほどエネルギを消費しないので、吸収冷温水機１２側のエネルギを使用する必要はない。そのため、図２８では、蓄熱槽１００に蓄熱されている温熱のみを用いて、室外機の除霜を行っている。
【０１９６】
図２８で示すように、デフロスト運転に際しては、開閉弁１３２は開放されているが、その他の開閉弁は閉鎖している。そのため、吸収冷温水機１２に連通する側の系統は全て遮断されている。
切換弁６８はラインＬ７２とラインＬ６０Ｃを連通する様に切り換えられており、コンプレッサ７０は駆動するが、補助コンプレッサ１２８は駆動しない。
【０１９７】
蓄熱槽１００内の熱交換器１００Ａにより、蓄熱槽１００に貯えられている温熱がラインＬ１００を流れる冷媒に供給されて、当該冷媒を昇温する。
昇温された冷媒は、ラインＬ１００を流れ、分岐・合流点ＰＥ７、ラインＬ７６、開閉弁１３２、分岐・合流点ＰＥ２、ラインＬ７８、コンプレッサ７０を介装したラインＬ８０、ラインＬ７２、切換弁６８を介して、ラインＬ６０Ｃを流れ、室外熱交換器６２に供給される。
【０１９８】
室外熱交換器６２において、冷媒が保有する熱量により除霜が行われ、冷媒は降温する。
室外熱交換器６２を流過した冷媒はラインＬ６０Ｃを流れ、分岐・合流点ＰＥ８から再びラインＬ１００を流れ、蓄熱槽１００に連通する。
これにより、蓄熱槽１００に貯えられた温熱による除霜が行われる。
【０１９９】
図２９は、第８実施形態において、暖房負荷が比較的低い場合に行われる蓄熱利用放熱暖房運転を説明している。
暖房負荷が比較的低いため、蓄熱槽に蓄熱された温熱のみで、暖房負荷を十分に賄うことが出来る場合に、図２９で示す様な運転が行われる。換言すれば、図２９で示す蓄熱利用放熱暖房運転では、温熱は蓄熱槽１００のみから供給され、室外熱交換器６２及び吸収冷温水機１２からは供給されない。
【０２００】
温熱負荷である室内熱交換器６０で、温熱を室内の空気に供給して降温した冷媒は、ラインＬ６０Ａを流れ、ラインＬ６０Ａは、分岐・合流弁６６でラインＬ６０Ｃ（矢印Ｂ１）とラインＬ６２Ｃ（矢印Ｂ２）とに分岐する。
【０２０１】
ラインＬ６０Ｃは分岐・合流点ＰＥ８を経由してラインＬ１００に連通し、ラインＬ１００を流れる冷媒は、蓄熱槽１００の熱交換器１００Ａ（第１の蒸発器として機能）に流入して、蓄熱槽１００内に蓄熱された温熱が供給されて昇温する。
熱交換器１００Ａで加熱された冷媒はラインＬ１００を流れ、ラインＬ７６、分岐・合流点ＰＥ２、ラインＬ７８、コンプレッサ７０を介装したラインＬ８０或いはそれと並列に配置され且つ補助コンプレッサ１２８を介装したラインＬ８２（ラインＬ８４に連通している）、ラインＬ７２、切換弁６８、ラインＬ６８を介して、ラインＬ６０Ｂを流れ、分岐・合流弁６４に向かう。
【０２０２】
すなわち、ラインＬ６０Ｃ側を流れる冷媒は蓄熱槽１００の熱交換器１００Ａにおいてのみ、温熱が投入される。
【０２０３】
ラインＬ６２Ｃは、分岐・合流点ＰＥ１７を経てラインＬ１０６に連通する。そして、蓄熱槽１００の熱交換器１００Ｂ（第２の蒸発器として機能）に流入して、ラインＬ１０６内を流れる冷媒に対しては、蓄熱槽１００内に蓄熱された熱量（温熱）が供給され、加熱される。
熱交換器１００Ｂで加熱された冷媒はラインＬ１０６を流れ、分岐・合流点ＰＥ１６、ラインＬ９８、分岐・合流点ＰＥ１１、ラインＬ１００、コンプレッサ７４を介装したラインＬ１０２或いはそれと並列に設けられ且つ補助コンプレッサ１２９を介装したラインＬ１０４（ラインＬ１４２と連通）、ラインＬ９４、切換弁７２、ラインＬ９０を経て、ラインＬ６２Ｂを流れて、分岐・合流弁６４に向かう。
【０２０４】
すなわち、ラインＬ６２Ｃ側を流れる冷媒も、蓄熱槽１００の熱交換器１００Ｂにおいてのみ、温熱が投入される。
【０２０５】
分岐・合流弁６４では、熱交換器１００Ａに連通するラインＬ６０Ｂ（矢印Ｇ１）と、熱交換器１００Ｂに連通する側のラインＬ６２Ｂ（矢印Ｇ２）とが合流して、ラインＬ６０Ａを流れる。このラインを流れる冷媒は、熱的負荷である室内熱交換器６０に供給されて、室内空気に温熱を供給する。
【０２０６】
図３０は本発明の第９実施形態に係る複合冷暖房システムを示している。
蓄熱槽冷媒ライン分離型のシステムを採用している図２１−図２９の第８実施形態では、蓄熱槽１００には２つの熱交換器１００Ａ、１００Ｂが設けられている。これに対して、蓄熱槽冷媒ライン一体型のシステムを採用している図３０の第９実施形態では、蓄熱槽１００には１つの熱交換器１００Ｅのみが用いられている。
【０２０７】
図３０において、分岐・合流弁１５０、１５２が設けられている。
図２１−図２９の第８実施形態では、吸収冷温水機１２に連通する系統（ラインＬ６２側）において、蓄熱槽１００（の熱交換器１００Ｂ）にはラインＬ１０６が直接連通していた。これに対して、図３０の第９実施形態では、（図２１−図２９の第８実施形態における）ラインＬ１０６は往復２本のラインＬ１０６Ａ、Ｌ１０６Ｂに分離されており、ラインＬ１０６Ａは分岐・合流弁１５２により（ラインＬ１００に連通する）ラインＬ１５２に連通し、ラインＬ１０６Ｂは分岐・合流弁１５０により（ラインＬ１００に連通する）ラインＬ１５２に連通している。
【０２０８】
図２１−図２９の第８実施形態におけるラインＬ１０６に相当する２本のラインＬ１０６Ａ、Ｌ１０６Ｂが、それぞれ分岐・合流弁１５０、１５２、ラインＬ１５０、Ｌ１５２を介して蓄熱槽１００の熱交換器１００Ｅに連通している結果、ラインＬ６０を流れる冷媒も、ラインＬ６２を流れる冷媒も、共に熱交換器１００Ｅで蓄熱槽１００内の熱媒と熱交換をすることになる。
【０２０９】
図３０の第９実施形態におけるその他の構成及び作用効果は、図２１−図２９の第８実施形態と同様である。
【０２１０】
図３−図５の実施形態では、（排熱焚）吸収冷温水機１２の駆動熱源としてＣＧＳ１０の温排熱（蒸気、温水を含む）が用いられている。
これに対して図３１の実施形態では、温熱媒体用ラインＬ１には、外部の熱源ＯＧからの温熱流体が流れるラインＬ１５０が合流（ＰＧ３１−１、ＰＧ３１−２）している。そのため図３１の実施形態では、ＣＧＳ１０で発生する温排熱に加えて、外部熱源ＯＧから供給される温熱流体（蒸気、温水を含む）が、温熱媒体用ラインＬ１及び再生器１８（排熱焚再生器）を介して、吸収冷温水機１２に投入される。
図３１で示す実施形態におけるその他の構成及び作用効果については、図３−図５の実施形態と概略同様である。
【０２１１】
図３１における外部熱源ＯＧとしては、例えば、工場排熱の様な他の外部エネルギ源や、太陽エネルギ、地熱等の自然エネルギを利用する設備、その他が利用可能である。
また、図３１において、符号ＣＴは冷却塔を示している。
【０２１２】
図３２の実施形態は、図３１と同様に、外部熱源ＯＧにより吸収冷温水機１２を駆動している。
ここで、図３１の実施形態では、ＣＧＳ１０の温排熱（蒸気、温水を含む）と、外部熱源ＯＧの温熱流体（蒸気、温水を含む）とが合流して、吸収冷温水機１２（の再生器１８）へ供給されている。
これに対して、図３２の実施形態では、吸収冷温水機１２の再生器１８へ供給されるのは、外部熱源ＯＧの温熱流体（蒸気、温水を含む）のみである。すなわち図３２では、ＣＧＳ１０の温排熱は、ラインＬ１Ｓを介して系外の他の熱的負荷ＦＳへ供給される。そして、外部熱減ＯＧで発生した温熱は、ラインＬ１５１を介して、吸収冷温水機１２の再生器１８に送られて、駆動熱源として作用するのである。
図３２の実施形態のその他の構成及び作用効果については、図３１（或いは図３−図５）の実施形態と同様である。
【０２１３】
なお、図示の実施形態はあくまでも例示であり、本発明の技術的範囲を限定する趣旨ではないことを付記する。例えば、コージェネレーションシステムと電動冷凍機又は（電動冷凍機に代えて）ガスエンジンヒートポンプを用いる事も可能である。
【０２１４】
【発明の効果】
本発明の作用効果を以下に列挙する。
（１）  負荷が無視出来るほど小さい場合（無負荷蓄熱）、負荷は無視できないが冷凍機で生成した全ての冷熱を投入するほど大きくはない場合（蓄熱一部負荷）、冷凍機で生成した全ての冷熱を投入しなければならないほど冷熱負荷が大きい場合（或いは、負荷ピーク）の全ての場合について、生成された冷熱を浪費すること無く、蓄熱或いは投入することが出来る。
（２）  蓄熱された冷熱を有効に消費することにより、ＣＧＳや冷凍機、その他の熱源設備の容量を減じることが可能である。
（３）  冷熱の需要が時刻により差が出るが、当該需要の差とは無関係に冷熱を生成しても、生成された冷熱が無駄になることが無い。
（４）  電動冷凍機が駆動するときは、常に定格運転で冷熱を生成する様にせしめて、電動冷凍機の運転効率を向上することが出来る。
（５）  コジェネレーションシステムを常時稼動せしめても無駄が発生することが無くなり、省エネルギの要請に合致せしめつつランニングコストを低減して、初期投下資本の回収期間を短縮することが出来る。
（６）  従来の電気を利用する蓄熱システムに加えて、コージェネレーションの排熱を利用して冷熱を生成・蓄熱することが出来る。
（７）  各種運転状対に対応できる。
【図面の簡単な説明】
【図１】本発明の第１実施形態を示すブロック図。
【図２】本発明の第２実施形態を示すブロック図。
【図３】本発明の第３実施形態を示すブロック図。
【図４】第３実施形態の冷房運転時を説明するブロック図。
【図５】第３実施形態の暖房運転時を説明するブロック図。
【図６】本発明の第４実施形態を示すブロック図。
【図７】第４実施形態の冷房運転時を説明するブロック図。
【図８】第４実施形態の暖房運転時を説明するブロック図。
【図９】第４実施形態の除霜運転時を説明するブロック図。
【図１０】本発明の第５実施形態を示すブロック図。
【図１１】第５実施形態の除霜運転時を説明するブロック図。
【図１２】本発明の第６実施形態を示すブロック図。
【図１３】第６実施形態の冷房運転時を説明するブロック図。
【図１４】第６実施形態の冷熱蓄熱運転時を説明するブロック図。
【図１５】第６実施形態の蓄熱利用冷房運転時を説明するブロック図。
【図１６】第６実施形態の暖房運転時を説明するブロック図。
【図１７】第６実施形態の温熱蓄熱運転時を説明するブロック図。
【図１８】第６実施形態の蓄熱利用暖房運転時を説明するブロック図。
【図１９】第６実施形態の蓄熱利用除霜運転時を説明するブロック図。
【図２０】本発明の第７実施形態を示すブロック図。
【図２１】本発明の第８実施形態を示すブロック図。
【図２２】第８実施形態の冷房運転時を説明するブロック図。
【図２３】第８実施形態の冷熱蓄熱運転時を説明するブロック図。
【図２４】第８実施形態の蓄熱利用冷房運転時を説明するブロック図。
【図２５】第８実施形態の暖房運転時を説明するブロック図。
【図２６】第８実施形態の温熱蓄熱運転時を説明するブロック図。
【図２７】第８実施形態の蓄熱利用暖房運転時を説明するブロック図。
【図２８】第８実施形態の除霜運転時を説明するブロック図。
【図２９】第８実施形態の蓄熱利用放熱暖房運転時を説明するブロック図。
【図３０】本発明の第９実施形態のブロック図。
【図３１】本発明の他の実施形態のブロック図。
【図３２】本発明のさらに別の実施形態を示すブロック図。
【図３３】従来の蓄熱システムの１例を示すブロック図。
【図３４】図３３とは異なる従来技術を示すブロック図。
【図３５】図３３、図３４とは異なる従来技術を示すブロック図。
【図３６】図３３−図３５とは異なる従来技術を示すブロック図。
【符号の説明】
１０・・・コージェネレーションシステム（ＣＧＳ）
１２・・・排熱焚吸収冷温水機
１、１４Ａ、１４Ｂ・・・電動冷凍機（圧縮式冷凍機）
１、１６・・・水蓄熱槽
Ｌ・・・熱的負荷（冷熱負荷）
１８・・・再生器（排熱焚再生器）
１９・・・発電手段
２０Ａ、２０Ｂ、４２、４４、４６・・・コンプレッサ
ＣＧ・・・商用電源
２２、２４Ａ、２４Ｂ・・・蒸発器
３６、４８・・・氷蓄熱槽
【図１】
0003717050.tif 000002
【図２】
0003717050.tif 000003
【図３】
0003717050.tif 000004
【図４】
0003717050.tif 000005
【図５】
0003717050.tif 000006
【図６】
0003717050.tif 000007
【図７】
0003717050.tif 000008
【図８】
0003717050.tif 000009
【図９】
0003717050.tif 000010
【図１０】
0003717050.tif 000011
【図１１】
0003717050.tif 000012
【図１２】
0003717050.tif 000013
【図１３】
0003717050.tif 000014
【図１４】
0003717050.tif 000015
【図１５】
0003717050.tif 000016
【図１６】
0003717050.tif 000017
【図１７】
0003717050.tif 000018
【図１８】
0003717050.tif 000019
【図１９】
0003717050.tif 000020
【図２０】
0003717050.tif 000021
【図２１】
0003717050.tif 000022
【図２２】
0003717050.tif 000023
【図２３】
0003717050.tif 000024
【図２４】
0003717050.tif 000025
【図２５】
0003717050.tif 000026
【図２６】
0003717050.tif 000027
【図２７】
0003717050.tif 000028
【図２８】
0003717050.tif 000029
【図２９】
0003717050.tif 000030
【図３０】
0003717050.tif 000031
【図３１】
0003717050.tif 000032
【図３２】
0003717050.tif 000033
【図３３】
0003717050.tif 000034
【図３４】
0003717050.tif 000035
【図３５】
0003717050.tif 000036
【図３６】
0003717050.tif 000037